【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
Ｘ線画像のデータを順次受信する受信部と、
前記受信部により順次データが受信されることに応じて該受信されたデータを順次合成することにより画像を得る合成部と、
第一の表示モードか、第二の表示モードのいずれかを選択する選択部と、
前記第一の表示モードが選択された場合であって、ある倍率での画像拡大が指示され、かつ前記ある倍率に対応する解像度の画像が前記合成部により合成されていない場合には、該画像合成部が合成した画像をデジタル拡大する制御を実行し、
前記第二の表示モードが選択された場合であって、ある倍率での画像拡大が指示され、かつ前記ある倍率に対応する解像度の画像が前記合成部により合成されていない場合には、該解像度の画像が得られるまで前記合成部による合成の処理を待つ制御をする制御部と、
を有することを特徴とするＸ線撮影システム。
【請求項２】
前記制御部は、前記第一の表示モードが選択された場合であって、ある倍率での画像拡大が指示された場合、前記ある倍率に対応する解像度の画像が前記合成部により合成されている場合には、該合成部により合成された画像を拡大された画像として表示させ、前記ある倍率に対応する解像度の画像が前記合成部により合成されていない場合には、該画像合成部が合成した画像をデジタル拡大する制御を実行する
ことを特徴とする請求項１に記載のＸ線撮影システム。
【請求項３】
前記選択部は、Ｘ線画像の撮影毎に表示モードを選択する
ことを特徴とする請求項１または２に記載のＸ線撮影システム。
【請求項４】
前記選択部は、前記Ｘ線画像の撮影部位に応じて表示モードを選択する
ことを特徴とする請求項１乃至３のいずれか１項に記載のＸ線撮影システム。
【請求項５】
前記選択部は、予め定められた設定によって表示モードを切り替える
ことを特徴とする請求項１乃至４のいずれか１項に記載のＸ線撮影システム。
【請求項６】
前記制御部は、前記デジタル拡大により得られる画像を表示部に表示させる
ことを特徴とする請求項１乃至４のいずれか１項に記載のＸ線撮影システム。
【請求項７】
Ｘ線撮影システムであって、
Ｘ線画像のデータを順次受信する受信部と、
前記順次受信されたデータを順次に合成することにより画像を得る合成部と、
第一の表示モードか、第二の表示モードのいずれかを選択する選択部と、
前記第一の表示モードが選択された場合であって、ある倍率での画像拡大が指示された場合、前記ある倍率に対応する解像度の画像が前記合成部により合成されている場合には、該合成部により合成された画像を拡大された画像として表示させ、前記ある倍率に対応する解像度の画像が前記合成部により合成されていない場合には、該画像合成部が合成した画像をデジタル拡大する制御を実行し、
前記第二の表示モードが選択された場合には、前記合成部により合成された画像の解像度に応じて画像拡大の処理において指定可能な倍率の大きさを制限する制御部と、
を有することを特徴とするＸ線撮影システム。
【請求項８】
前記制御部は、前記合成部により合成された画像の解像度が大きいほど、画像拡大の処理において指定可能な倍率の大きさを大きくさせるよう制御する
ことを特徴とする請求項７に記載のＸ線撮影システム。
【請求項９】
前記制御部は、前記合成部により合成された画像の解像度を超えるような倍率を指定するためのボタンが表示部に表示されないように制御する
ことを特徴とする請求項７または８に記載のＸ線撮影システム。
【請求項１０】
前記制御部は、前記Ｘ線画像の解像度を超えるような倍率が指定された場合には、前記第二の表示モードが選択された場合であっても前記画像合成部が合成した画像をデジタル拡大する制御を実行する
ことを特徴とする請求項７乃至９のいずれか１項に記載のＸ線撮影システム。
【請求項１１】
前記制御部は、表示部に拡大を指示するためのボタンを表示させる
ことを特徴とする請求項７乃至１０のいずれか１項に記載のＸ線撮影システム。
【請求項１２】
前記制御部は、第一のタイミングで前記合成部により得られた第一の画像をデジタル拡大して得られる拡大画像が表示部に表示されている場合であって、第一のタイミングより後の第二のタイミングで前記合成部により前記第一の画像よりも解像度の高い第二の画像が得られた場合には、該第二の画像に基づいて前記拡大画像に対応する画像が得られるよう制御する
ことを特徴とする請求項１乃至１１のいずれか１項に記載のＸ線撮影システム。
【請求項１３】
Ｘ線撮影システムの制御方法であって、
Ｘ線画像のデータを順次受信するステップと、
前記受信部により順次データが受信されることに応じて該受信されたデータを順次合成することにより画像を得るステップと、
第一の表示モードか、第二の表示モードのいずれかを選択するステップと、
前記第一の表示モードが選択された場合であって、ある倍率での画像拡大が指示され、かつ前記ある倍率に対応する解像度の画像が前記合成部により合成されていない場合には、該画像合成部が合成した画像をデジタル拡大する制御を実行し、
前記第二の表示モードが選択された場合であって、ある倍率での画像拡大が指示され、かつ前記ある倍率に対応する解像度の画像が前記合成部により合成されていない場合には、該解像度の画像が得られるまで前記合成部による合成の処理を待つ制御をするステップと、を有することを特徴とする制御方法。
【請求項１４】
Ｘ線撮影システムの制御方法であって、
Ｘ線画像のデータを順次受信するステップと
前記順次受信されたデータを順次に合成することにより画像を得るステップと、
第一の表示モードか、第二の表示モードのいずれかを選択するステップと、
前記第一の表示モードが選択された場合であって、ある倍率での画像拡大が指示された場合、前記ある倍率に対応する解像度の画像が前記合成部により合成されている場合には、該合成部により合成された画像を拡大された画像として表示させ、前記ある倍率に対応する解像度の画像が前記合成部により合成されていない場合には、該画像合成部が合成した画像をデジタル拡大する制御を実行し、
前記第二の表示モードが選択された場合には、前記合成部により合成された画像の解像度に応じて画像拡大の処理において指定可能な倍率の大きさを制限するステップと、
を有することを特徴とする制御方法。
【手続補正２】
【補正対象書類名】明細書
【補正対象項目名】発明の名称
【補正方法】変更
【補正の内容】
【発明の名称】Ｘ線撮影システムおよび制御方法
【手続補正３】
【補正対象書類名】明細書
【補正対象項目名】０００８
【補正方法】変更
【補正の内容】
【０００８】
そこで本発明の実施形態に係るＸ線撮影システムは、Ｘ線画像のデータを順次受信する受信部と、前記受信部により順次データが受信されることに応じて該受信されたデータを順次合成することにより画像を得る合成部と、第一の表示モードか、第二の表示モードのいずれかを選択する選択部と、前記第一の表示モードが選択された場合であって、ある倍率での画像拡大が指示され、かつ前記ある倍率に対応する解像度の画像が前記合成部により合成されていない場合には、該画像合成部が合成した画像をデジタル拡大する制御を実行し、前記第二の表示モードが選択された場合であって、ある倍率での画像拡大が指示され、かつ前記ある倍率に対応する解像度の画像が前記合成部により合成されていない場合には、該解像度の画像が得られるまで前記合成部による合成の処理を待つ制御をする制御部と、を有することを特徴とする。